(57)【要約】【課題】  右手で箸を持つ人にも左手で箸を持つ人にも麺を掬い上げることを容易とするため、水流方向を逆転可能とするそうめん流し機１００を提供する。【解決手段】  水を流す環状形状の環状流路部１１２と、前記環状流路部１１２の内側に設けたポンプカバー部１５０と、を有し、前記ポンプカバー部１５０の内部にモータ及びポンプと、ポンプが吐出する水を前記環状流路部１１２に吐出させる排出管２４０と、を内蔵し、前記排出管２４０は、ポンプの吐出連結部に接続される連結口部２４５と環状流路部に接続される排出口部２４８とを有し、排出口部２４８は、ポンプケーシングの中心と吐出連結部とを結ぶ方向と交わる方向に配置され、且つ、連結口部２４５の中心線を中心に１８０度異なる２つの状態でポンプケーシング２１０への固定が可能とされ、ポンプケーシング２１０がポンプカバー部１５０に着脱可能とされているそうめん流し機１００とする。【選択図】    図６
2019041828.tif 000002
【特許請求の範囲】
【請求項１】
水を流す環状形状の環状流路部と、
前記環状流路部の内側に設けたポンプカバー部と、
を有し、
前記ポンプカバー部の内部にモータ及びポンプと、ポンプが吐出する水を前記環状流路部に吐出させる排出管と、を内蔵し、
前記排出管は、前記ポンプの吐出連結部に接続される連結口部と前記環状流路部に接続される排出口部とを有し、
前記排出口部は、前記ポンプのポンプケーシングの中心と前記ポンプの前記吐出連結部とを結ぶ方向と交わる方向に配置され、且つ、前記連結口部の中心線を中心に１８０度異なる２つの状態で前記ポンプケーシングへの固定が可能とされ、
前記ポンプは、前記ポンプケーシングが前記ポンプカバー部に着脱可能とされていることを特徴とするそうめん流し機。
【請求項２】
前記ポンプケーシングは、前記ポンプケーシングの中心を中心として対称の位置に配置された２個の前記吐出連結部を備えて前記排出管を各々前記吐出連結部に固定し、前記各吐出連結部に固定される２個の前記排出管は略Ｊ字形状とされ、前記２個の吐出連結部を結ぶ線の両側に前記排出口部を分けるようにして前記環状流路部に接続開口していることを特徴とする請求項１に記載したそうめん流し機。
【請求項３】
前記環状流路部が、半円形状とされた２個の円弧状部分と、２個の前記円弧状部分を結ぶ平行な２箇所の直線状部分とを有する楕円形環状の流水路とされることを特徴とする請求項１又は請求項２に記載したそうめん流し機。
【請求項４】
前記ポンプは、前記ポンプケーシングの中心が前記環状流路部の中心位置に配置されていることを特徴とする請求項２又は請求項３に記載したそうめん流し機。
【請求項５】
前記排出管は、前記ポンプケーシングに着脱可能とされることを特徴とする請求項１乃至請求項４の何れかに記載したそうめん流し機。
【発明の詳細な説明】
【技術分野】
【０００１】
本発明は、家庭でそうめんを食するに際し、そうめん流しを楽しみながら麺を食することができるようにする装置に関する。
【背景技術】
【０００２】
今日、そうめん流しの雰囲気を家庭で楽しみながら食するための卓上用の器具が提案され（例えば特許文献１）、また、この様な装置や器具の提供がなされている。
【０００３】
これら装置や器具の多くは、円形又は楕円形の流路において水を旋回させるように流し、この水流にそうめんを流すようにして円形形状等の流路を循環させる。そして、水流に乗って流れるそうめんを箸で掬う様にして食することにより、そうめん流しを楽しみながら家庭での食事でそうめんを食することができる。
【先行技術文献】
【特許文献】
【０００４】
【特許文献１】特開２００３−２９９５６３号公報
【発明の概要】
【発明が解決しようとする課題】
【０００５】
家庭用のそうめん流し機は、円形又は楕円形の水路に水が流れるように循環させているも、水の流れる方向は右手で箸を持つ人に合わせた反時計回りの一定方向とされているため、左手で箸を持つ人は麺を掬い上げることが困難となることが多かった。
【０００６】
また、食品を流水に合わせて流すこの装置又は器具では、水や麺が流れる箇所を清潔にするために清掃が容易にできるようにする必要が有り、構造を複雑として麺をつまらせずに一様に流れるようにすることが困難となることが多かった。
【０００７】
本発明は、この様な欠点を排除し、水流部分を常に清潔に保つことが容易であって、水流の向きを逆転させることも容易に可能とする家庭で用いる卓上用のそうめん流し機を提供する。
【課題を解決するための手段】
【０００８】
本発明に係るそうめん流し機は、水を流す環状形状の環状流路部と、前記環状流路部の内側に設けたポンプカバー部と、を有し、前記ポンプカバー部の内部にモータ及びポンプと、ポンプが吐出する水を前記環状流路部に吐出させる排出管と、を内蔵し、前記排出管は、前記ポンプの吐出連結部に接続される連結口部と前記環状流路部に接続される排出口部とを有し、前記排出口部は、前記ポンプのポンプケーシングの中心と前記ポンプの前記吐出連結部とを結ぶ方向と交わる方向に配置され、且つ、前記連結口部の中心線を中心に１８０度異なる２つの状態で前記ポンプケーシングへの固定が可能とされ、前記ポンプは、前記ポンプケーシングが前記ポンプカバー部に着脱可能とされている。
【発明の効果】
【０００９】
本発明に係るそうめん流し機は、環状流路部の内側に配置するポンプカバー部にポンプや排出管を内蔵しており、排出管がポンプケーシングの中心と吐出連結部とを結ぶ方向と交わる方向に水を吐出する排出口部を有し、且つ、吐出連結部に固定するに際して１８０度異なる状態で固定可能としている。
【００１０】
このため、排出口部から排出する水の方向をポンプ中心と吐出連結部とを結ぶ方向に対して変更し、環状流路部に吐出する際の方向を変更して環状流路部を流れる水流の向きを逆転させ、右手でも左手でも水流に流した麺を容易に掬えるように水を流すことができる。
【００１１】
また、ポンプケーシングをポンプカバー部に着脱可能とすることにより、ポンプカバー部に取り付けたポンプの羽根周辺部分の清掃を容易に行って流水部分を清潔に保つことを容易に可能とすることができる。
【図面の簡単な説明】
【００１２】
【図１】本発明に係る卓上用のそうめん流し機の実施の形態の一例を示す上面斜視図。
【図２】本発明に係る卓上用のそうめん流し機の実施の形態の一例における上カバーを外した状態を示す上面斜視図。
【図３】本発明に係る卓上用のそうめん流し機の実施の形態の一例における上カバー及びポンプカバー部を外した状態を示す上面斜視図。
【図４】本発明に係る卓上用のそうめん流し機の実施の形態の一例における水流皿を示す上面斜視図。
【図５】本発明に係る卓上用のそうめん流し機の実施の形態の一例におけるポンプカバー部の内部構造を示すポンプカバー部の下面斜視図。
【図６】本発明に係る卓上用のそうめん流し機の実施の形態の一例における一部半断面斜視図。
【図７】本発明に係る卓上用のそうめん流し機の実施の形態の一例におけるポンプカバー部の下面図。
【図８】本発明に係る卓上用のそうめん流し機の実施の形態の一例における排出管の配置を変更した状態を示すポンプカバー部の下面図。
【図９】本発明に係る卓上用のそうめん流し機の実施の形態の一例におけるポンプの上面分解斜視図。
【図１０】本発明に係る卓上用のそうめん流し機の実施の形態の一例におけるポンプの下面分解斜視図。
【発明を実施するための形態】
【００１３】
本発明に係る卓上用のそうめん流し機の実施の形態は、図１に示す様に、直線状部分の両端に半円形の円弧状部分を有する楕円形状の水流皿１１０の中央に、水流皿１１０の形状に合わせて直線状部分と円弧状部分を備えるポンプカバー部１５０を有し、ポンプカバー部１５０の周囲を環状流路部１１２による流水路としてそうめんを流すための水を旋回させるように循環させることができるものである。
【００１４】
このそうめん流し機１００は、水流皿１１０の長径を４０乃至５０センチメートルとし、短径を２５乃至３０センチメートル程度としてテーブル上に載置可能とされ、ポンプカバー部１５０の内部に電池やモータ２０１及び遠心ポンプを内蔵する。
【００１５】
このポンプカバー部１５０は、ポンプカバー部１５０の上に上カバー１３０を有し、上カバー１３０は、ポンプカバー部１５０の天板１５１（図２参照）と同一形状とされる直線状部分と円弧状部分とを備えた上面板１３１と、この上面板１３１の周囲から垂下する直線状部分とされた直線部１４３と円弧状部分とされた円弧部１４２とによる周縁カバー部１４１と、を有する。
【００１６】
また、上面板１３１にはスイッチボタン１５８を露出させるスイッチ穴１３３と、複数個の凹み部分とされる薬味受け部１３５とを有し、そうめんと一緒に食する薬味を薬味受け部１３５に盛り付けておくことができるようにしている。
【００１７】
そして、図２に示す様に、ポンプカバー部１５０は、楕円形の天板１５１に電池ボックスカバー１５３を密着固定可能とし、この天板１５１にはスイッチボタン１５８を収納するスイッチ収納筒１５７及び天板１５１の下方に収納するモータ２０１を固定するモータ固定部１５５を有する。
【００１８】
この天板１５１は、上カバー１３０の周縁カバー部１４１に合わせた形状及び大きさとされて天板１５１の周縁から垂下する楕円筒状の上カバー取付け部１６５を有し、この上カバー取付け部１６５は上カバー１３０の周縁カバー部１４１に挿入される。
【００１９】
更に、このポンプカバー部１５０は、上カバー取付け部１６５の下端から周縁カバー部１４１の外側面と一致する外周面を有する周壁部１６１を有する。
【００２０】
この周壁部１６１は、水流皿１１０に合わせた直線状部分と円弧状部分とを有し、直線状部分である直線部１６３は水流皿１１０の直線状部分と同一長さとされ、円弧状部分である円弧部１６２は、水流皿１１０の円弧状部分と同心円の位置とされた半円形の円弧形状とされる。
【００２１】
そして、ポンプカバー部１５０の外周には、幅を７乃至１０センチメートルの一定幅とした楕円形環状形状の環状流路部１１２を形成している。
【００２２】
また、周壁部１６１の中間高さ位置に段差部１６６を有し、段差部１６６よりも下方の円弧部１６２において縦方向の細隙とされた多数の給水用スリット１６７を有して環状流路部１１２に蓄えた水をポンプカバー部１５０の内側に侵入可能とする。
【００２３】
そして、直線部１６３の下端に排出口部２４８を有し、直線部１６３において、短径方向の軸線である中心線を対称軸として排出口部２４８と対称の位置には排出口部２４８とほぼ同一大きさの閉鎖板１７１を備える。
【００２４】
また、水流皿１１０は、図３及び図４に示す様に、ポンプケーシング２１０及び排出管２４０が配置される中央底部１２１と、中央底部１２１の周囲に設けられる楕円環状形状の流路底部１１１と、流路底部１１１の外周に設けられる外周壁内側面１１５及び外周壁外側面１１７とを有する。
【００２５】
尚、外周壁外側面１１７の下端は、上カバー１３０の上面板１３１やポンプカバー部１５０の天板１５１と平行な平面を形成して中央底部１２１よりも僅かに低い位置とされ、水流皿１１０をテーブル等の平坦面に安定させて載置することができるようにしている。
【００２６】
この中央底部１２１は、流路底部１１１から僅かに高い位置とされ、周囲をポンプカバー受け部１２５とし、ポンプカバー受け部１２５の内側をポンプカバー受け部１２５よりも僅かに低くし、中央に窪み部１２３を有する。
【００２７】
このポンプカバー受け部１２５は、ポンプカバー部１５０の周壁部１６１の下端が載置されるものであり、周壁部１６１の形状に合わせて直線状部分と円弧状部分とを有し、円弧状部分には周壁部１６１の円弧部１６２の内側に合わせた形状とされるカバー係合部１２７を有する。
【００２８】
従って、カバー係合部１２７を周壁部１６１の内側に挿入することにより、ポンプカバー部１５０を水流皿１１０の所定位置に係止するようにして水流皿１１０にポンプカバー部１５０を載置固定することができる。
【００２９】
また、流路底部１１１の外側には流路底部１１１から連続して立ち上がる外周壁内側面１１５を有し、流路底部１１１及び外周壁内側面１１５は滑らかな表面として流水抵抗の小さな面とし、外周壁内側面１１５の高さを上カバー１３０の上面板１３１よりも僅かに低く、ポンプカバー部１５０の周壁部１６１上端よりも僅かに高い高さとしている。
【００３０】
そして、中央底部１２１には、中央底部１２１から僅かに浮かせた状態でポンプケーシング２１０及び排出管２４０を配置するものであって、ポンプケーシング２１０は、固定筒２１５により、後述するポンプカバー部１５０の内部に設けられたモータ収納部１８１の底板１８２の近傍に固定され、２個の排出管２４０がポンプケーシング２１０の吐出連結部２１８に係合固定される。
【００３１】
このポンプケーシング２１０が固定されるポンプカバー部１５０の内部は、図５に示す様に、天板１５１の中央下面に底板１８２と側板１８３とに囲まれたモータ収納部１８１を有し、モータ収納部１８１の底板１８２の下方に遠心ポンプの羽根２０７を備えた円板状のプレート２０６を有する。
【００３２】
また、モータ収納部１８１の側方には底板１８６と側板１８７とに囲まれたスイッチ収納部１８５、スイッチ収納部１８５とは逆の側方には底板１９２と図示されない側板とに囲まれた電池収納部１９１を有している。
【００３３】
そして、スイッチ収納部１８５の底板１８６と電池収納部１９１の底板１９２との間には円形のポンプ取付け穴１９５を有し、ポンプ取付け穴１９５におけるポンプカバー部１５０の短径方向の両側には穴の直径を大きくするようにした拡大部１９６を有し、２箇所の拡大部１９６と直交する位置にはポンプ取付け穴１９５の両側でポンプ取付け穴１９５の中心方向に突出する円弧形状にして板状の係止部１９７をポンプカバー部１５０の長径方向の両側に有する。
【００３４】
このポンプ取付け穴１９５の直径は、後述するポンプケーシング２１０に設けた固定筒２１５の外径と等しく、拡大部１９６の円周方向長さ及び係止部１９７の円周方向長さは、共に、固定筒２１５に設けられた係合鍔２１６の円周方向長さよりも僅かに長くしている。
【００３５】
従って、ポンプケーシング２１０に設けた固定筒２１５の係合鍔２１６を拡大部１９６に位置させて固定筒２１５の上端をポンプ取付け穴１９５に挿入し、ポンプケーシング２１０を９０度回転させて係合鍔２１６を係止部１９７の上方に位置させることにより、ポンプケーシング２１０をポンプカバー部１５０の内部に着脱可能に取り付けることができることになる。
【００３６】
尚、ポンプケーシング２１０の中心、即ち固定筒２１５の中心をポンプカバー部１５０の中心位置と一致させるようにポンプケーシング２１０をポンプカバー部１５０に取り付け、且つ、ポンプケーシング２１０の吐出連結部２１８を結ぶ線をポンプカバー部１５０の長軸軸線、即ち水流皿１１０の長軸軸線であるそうめん流し機１００の長軸軸線と一致させている。
【００３７】
また、図５に示したように、ポンプカバー部１５０の周壁部１６１における直線部１６３の下端には、直線部１６３の下端から長方形に切り欠いた切欠き部１６８を各直線部１６３に２個づつ、合計４個の切欠き部１６８を設けている。
【００３８】
この４個の切欠き部１６８は、ポンプカバー部１５０の中心を中心として、長径方向の中心軸及び短径方向の中心軸を各々対称軸として対称の位置に設けられ、２箇所の切欠き部１６８には、この切欠き部１６８を塞ぐ厚板状の閉鎖板１７１を取り付け可能としている。
【００３９】
そして、２個の切欠き部１６８には、排出管２４０の排出口部２４８を位置させ、図６に示す様に、ポンプカバー部１５０の直線部１６３において対称の２箇所から環状流路部１１２に水を吐出させることができるようにしている。
【００４０】
また、この排出管２４０は、図７に示す様に、ポンプカバー部１５０の長手方向に配置されたポンプケーシング２１０の吐出連結部２１８と周壁部１６１の直線部１６３に設けられた切欠き部１６８とを接続するように、略Ｊ字形状とされ、図７では電池収納部１９１の下方に位置する排出管２４０を図７の下方に位置する直線部１６３の切欠き部１６８に排出口部２４８を位置させ、逆位置の排出管２４０は図７における上方に位置した直線部１６３の切欠き部１６８に排出口部２４８を位置させることができる。
【００４１】
このため、ポンプカバー部１５０の外周に沿った環状流路部１１２において、図７における時計回りの方向に水を回流させるように排出口部２４８から水を噴出させることができる。
【００４２】
そして、排出管２４０の連結口部２４５をポンプケーシング２１０の吐出連結部２１８から取り外し、排出管２４０を１８０度回転させて連結口部２４５を吐出連結部２１８に係合させることにより、図８に示す様に、電池収納部１９１の下方に位置する排出管２４０の排出口部２４８を図８の上方に位置する直線部１６３の切欠き部１６８に排出口部２４８を位置させ、逆位置の排出管２４０は図８における下方に位置した直線部１６３の切欠き部１６８に排出口部２４８を位置させることができる。
【００４３】
このため、ポンプカバー部１５０の外周に沿った環状流路部１１２において、図８における反時計回りの方向に水を回流させるように排出口部２４８から水を噴出させることができる。
【００４４】
そして、このポンプケーシング２１０及び排出管２４０は、図９及び図１０に示す様に、ポンプケーシング２１０と２個の排出管２４０とが分離可能とされている。
【００４５】
このポンプケーシング２１０は、上部ケーシング２１１と下部ケーシング２２１とが合わされて一体とされる。
【００４６】
この上部ケーシング２１１は、略円形とされて対称となる両側に円形部分から張り出して吐出連結部２１８を形成する平板状の上面板２１２を有し、一方の吐出連結部２１８を形成する上部吐出連結部２１９から他方の吐出連結部２１８を形成する上部吐出連結部２１９に至る上部側壁２１７を上面板２１２の両側縁周縁部分から垂下させている。
【００４７】
そして、吐出連結部２１８を形成するための上部吐出連結部２１９の先端部分は、上部側壁２１７を設けることなく、上部ケーシング２１１の側方を開口状態としている。
【００４８】
また、上面板２１２の中央には円筒状の固定筒２１５が立設されており、固定筒２１５の上端から両側外方に延設される係合鍔２１６を有し、固定筒２１５の内側において上面板２１２には円形の透孔２１３が設けられている。
【００４９】
この透孔２１３には、シャフト２０５によりモータ２０１の回転軸に結合される遠心ポンプのプレート２０６が挿入され、透孔２１３の位置をプレート２０６で塞ぎ、プレート２０６の周囲に僅かな間隙を形成してプレート２０６が透孔２１３の位置で回転可能とされる。
【００５０】
また、係合鍔２１６は、固定筒２１５の筒中心から９０度以内の範囲で固定筒２１５の周縁に形成され、２個の係合鍔２１６は、固定筒２１５の筒中心を中心として対称の形状に形成される。
【００５１】
そして、上面板２１２の下面には、図１０に示したように、透孔２１３の周縁位置から上部側壁２１７の位置に至る略半円の螺旋形としたポンプ室隔壁２３１を備え、２個のポンプ室隔壁２３１は吐出連結部２１８の方向と略９０度の方向における一端を透孔２１３の周縁位置とし、他端を上部側壁２１７に接するようにしている。
【００５２】
従って、この２個のポンプ室隔壁２３１は、一方のポンプ室隔壁２３１の上部側壁２１７側の端部と他方のポンプ室隔壁２３１の透孔２１３周縁側の端部との間に開口部２３２が形成される。
【００５３】
また、このポンプ室隔壁２３１の中間位置における外側面の部分から上部側壁２１７の上部吐出連結部２１９近くを連結する円弧形状の吐出流路隔壁２３５を有する。
【００５４】
更に、このポンプ室隔壁２３１及び吐出流路隔壁２３５は、上部側壁２１７よりも下方に長くしてポンプ室隔壁２３１及び吐出流路隔壁２３５の下端を上部側壁２１７の下端よりも下方に位置させている。
【００５５】
そして、このポンプ室隔壁２３１及び吐出流路隔壁２３５の下端は、下部ケーシング２２１と上部ケーシング２１１とを合わせたとき、下部ケーシング２２１の下面板２２２の上面と接し、一方のポンプ室隔壁２３１と他方のポンプ室隔壁２３１との間の開口部２３２からポンプ室隔壁２３１の外側及び吐出流路隔壁２３５の外側を介して吐出連結部２１８に至る吐出流路２３６を形成する。
【００５６】
また、下部ケーシング２２１は、上部ケーシング２１１の上面板２１２と同一形状同一大きさの平板とされた下面板２２２を有し、吐出連結部２１８を形成する下部ケーシング２２１の下部吐出連結部２２９を両端とする下部側壁２２７を下面板２２２の両側縁周縁部分に立設させて有し、下面板２２２の中央に給水穴２２５を有する。
【００５７】
尚、下部吐出連結部２２９の先端部分は下部側壁２２７を設けることなく、下部ケーシング２２１の側方を開口状態としている。
【００５８】
従って、この上部ケーシング２１１と下部ケーシング２２１とを合わせるように上部側壁２１７の下端と下部側壁２２７の上端とを接合すれば、図３や図４に示したように、短円筒形の本体部分から両側外方に突出する吐出連結部２１８を有し、短円筒形部分の中央上面から突出する円筒状の固定筒２１５を有して短円筒形の本体部分の内部に羽根２０７を備えたプレート２０６を収納した遠心ポンプとすることができる。
【００５９】
そして、この遠心ポンプは、シャフト２０５により結合されるモータ２０１によりプレート２０６を回転させることにより、下面の給水穴２２５から吸い込んだ水をポンプ室隔壁２３１の開口部２３２から吐出流路２３６を介して両側の吐出連結部２１８から排出管２４０に吐出することができる。
【００６０】
この排出管２４０も、上部部材２４１と下部部材２５１とで形成し、上部部材２４１は、一端を排出管２４０の連結口部２４５とする上部連結口部２４６とし、他端を排出管２４０の排出口部２４８とする上部排出部２４７とするＪ字形状の平板とした上面部２４２を有する。
【００６１】
更に、上部部材２４１は、上部連結口部２４６から上部排出部２４７までの上面部２４２の両側縁から垂下する上部側面部２４３を有する。
【００６２】
また、この上部連結口部２４６は、排出管２４０の連結口部２４５近傍における排出管２４０の軸線と直交する開口形状とされ、上部排出部２４７は、上部連結口部２４６と直交する開口形状とされて排出管２４０の排出口部２４８の近傍における軸線と斜めに交わる開口部形状とされる。
【００６３】
そして、下部部材２５１は、上面部２４２と同一形状同一大きさとされる平板状の下面部２５２を有し、下部連結口部２５６から下部排出部２５７までの下面部２５２の両側縁から立ち上がる下部側面部２５３を有する。
【００６４】
従って、上部側面部２４３の下端と下部側面部２５３の上端とを合わせて上部部材２４１と下部部材２５１とを一体とするとＪ字形状の角パイプとすることができる。
【００６５】
そして、上部連結口部２４６と下部連結口部２５６とにより形成される排出管２４０の連結口部２４５は、ポンプケーシング２１０の吐出連結部２１８の外形に合わせた内部形状を有し、吐出連結部２１８を連結口部２４５に差し込むようにして吐出連結部２１８を連結口部２４５で覆うことができるようにし、排出管２４０をポンプケーシング２１０に固定可能として排出管２４０をポンプケーシング２１０に着脱可能に固定している。
【００６６】
更にこの排出管２４０は、連結口部２４５を、連結口部２４５の近傍における排出管２４０の軸線と直交する開口部としているため、Ｊ字形状の排出管２４０を連結口部２４５の近傍における排出管２４０の軸線を回転軸として１８０度回転させて吐出連結部２１８に固定することにより、２個の吐出連結部２１８を結ぶ線であるそうめん流し機１００の長軸軸線を対称中心線として対称の位置に排出口部２４８を位置させるように変更することができる。
【００６７】
また、排出管２４０は、上部排出部２４７と下部排出部２５７とによる排出口部２４８を有し、排出口部２４８には上部排出口係合部２４９と下部排出口係合部２５９とによる排出係合部２５８を有し、排出係合部２５８をポンプカバー部１５０の周壁部１６１における直線部１６３の下端に形成した切欠き部１６８に挿入し、排出口部２４８の端面を周壁部１６１の内面に当接するようにして、周壁部１６１の直線部１６３に対して斜めに配置される端部近傍を有する排出管２４０の端部に形成される排出口部２４８を周壁部１６１の位置に位置させる。
【００６８】
この様に、排出口部２４８が排出口部２４８近傍の排出管２４０の軸線に対して傾斜した排出口部２４８として周壁部１６１に密接固定させるようにしているため、周壁部１６１の外周に形成される流水路である環状流路部１１２に対して排出口部２４８から噴出させる水を環状流路部１１２の軸線方向に対して斜めに噴出させ、環状流路部１１２に蓄えた水を一定方向に流すように旋回させることができる。
【００６９】
従って、このそうめん流し機１００の外周壁外側面１１７の下端をテーブル等の水平面に安定させるように載置し、環状流路部１１２に水を入れ、水面高さをポンプカバー部１５０の段差部１６６よりも僅かに高い位置まで入れることにより、固定筒２１５によりポンプカバー部１５０の内部に取り付けたポンプケーシング２１０を水中に水没させることができる。
【００７０】
そして、上カバー１３０の上面に露出させたスイッチボタン１５８を操作し、モータ２０１の回転を開始させると、モータ軸にシャフト２０５により固定したプレート２０６及び羽根２０７を回転させ、ポンプケーシング２１０の下面と中央底部１２１との間隙からポンプカバー部１５０内の水が給水穴２２５に吸い込まれることになる。
【００７１】
このとき、中央底部１２１の中央に設けた窪み部１２３にポンプケーシング２１０の下面と中央底部１２１との間隙から吸い込まれた水が一旦貯えられることにより、ポンプケーシング２１０の給水穴２２５から効率良くポンプケーシング２１０の内部に吸い込むことができる。
【００７２】
そして、ポンプケーシング２１０に吸い込まれた水は、吐出流路２３６、吐出連結部２１８を介して排出管２４０に排出され、排出管２４０を介して切欠き部１６８に位置させた排出口部２４８から環状流路部１１２に排出されることになる。
【００７３】
この排出口部２４８は、排出管２４０の軸方向に対して斜めに形成され、周壁部１６１の直線部１６３において周壁部１６１に対して斜めに、即ち環状流路部１１２に対して斜めに水を噴出させ、環状流路部１１２の水を環状流路部１１２において循環させるように旋回させて流すことになり、この水流により環状流路部１１２に入れたそうめんを環状流路部１１２において旋回させるように流すことができる。
【００７４】
そして、図１乃至図４及び図６に示す様に排出管２４０をポンプケーシング２１０に固定しているとき、環状流路部１１２を流れる水の向きを反時計回りの方向とし、右手で箸を持った人には左側から流れてくるそうめんを箸で掬うことができるようにし、そうめんを容易に掬えるようにすることができる。
【００７５】
また、排出管２４０を一旦ポンプケーシング２１０から外し、図８に示したように排出管２４０の排出口部２４８の位置を反転させ、排出口部２４８を接続しない切欠き部１６８を閉鎖板１７１で塞ぐようにしてモータ２０１を回転させると、排出口部２４８から噴出させる水の向きを逆方向の斜めとし、環状流路部１１２を流れる水の向きを時計方向とすることができる。
【００７６】
従って、環状流路部１１２を流れる水の向きを時計方向としたときは、左手で箸を持った人に対して右側から流れてくるそうめんを箸で掬うことができるようにし、そうめんを容易に掬えるようにすることができる。
【００７７】
また、図面に示した上記実施の形態におけるそうめん流し機１００は、ポンプケーシング２１０の吐出連結部２１８の形状を矩形とし、排出管２４０を角パイプ形状としているも、吐出連結部２１８の形状を円形とし、排出管２４０を丸パイプのＪ字形状とすることもある。
【００７８】
更に、このそうめん流し機１００は、水流皿１１０の直線状部分やポンプカバー部１５０の直線部１６３を無くし、円形の環状流路部１１２を有するそうめん流し機１００とすることもある。
【００７９】
この円形のそうめん流し機１００とする場合は、円形の周壁部１６１に２箇所の切欠き部１６８を設け、この２箇所の切欠き部１６８はポンプカバー部１５０の中心を対称中心点とする対称の位置に設けるようにする。
【００８０】
そして、この２箇所の切欠き部１６８を結ぶ線をポンプケーシング２１０の吐出連結部２１８を結ぶ線と９０度で交わる位置とし、ポンプケーシング２１０の中心をポンプカバー部１５０の中心、即ちそうめん流し機１００の中心に合わせる。
【００８１】
従って、ポンプケーシング２１０の一方の吐出連結部２１８に接続された排出管２４０を２箇所とした切欠き部１６８の何れの切欠き部１６８へも接続可能とし、ポンプケーシング２１０の他方の吐出連結部２１８に接続された排出管２４０も２箇所の切欠き部１６８の何れの切欠き部１６８へも接続可能として環状流路部１１２を流れる水の向きを時計方向にも反時計方向にも流すことができる。
【００８２】
更に、上記のそうめん流し機１００は、２個の排出管２４０をポンプケーシング２１０の２箇所の吐出連結部２１８に夫々固定することとしているが、ポンプケーシング２１０に設ける吐出連結部２１８を１箇所とし、排出管２４０を１個だけとすることもある。
【００８３】
この場合、ポンプカバー部１５０に取り付けたポンプケーシング２１０の中心と吐出連結部２１８とを結ぶ線を対称軸として左右に分けてポンプカバー部１５０の周壁部１６１に２箇所の切欠き部１６８を設ければ足りる。
【００８４】
そして、ポンプケーシング２１０の中心をポンプカバー部１５０の中心に合わせるようにポンプカバー部１５０を配置する場合や、ポンプケーシング２１０の中心はポンプカバー部１５０の中心と一致させずにポンプケーシング２１０の中心と吐出連結部２１８とを結ぶ線上にポンプカバー部１５０の中心を位置させてポンプケーシング２１０をポンプカバー部１５０に収納することもある。
【００８５】
このように、本実施の形態によるそうめん流し機１００は、ポンプケーシング２１０が、ポンプケーシング２１０の中心を中心として対称の位置に配置された２個の吐出連結部２１８を備えて排出管２４０が各々吐出連結部２１８に固定され、各吐出連結部２１８に固定される２個の排出管２４０を略Ｊ字形状として２個の吐出連結部２１８を結ぶ軸線の両側に分けてこの軸線と交わる方向とされた各排出口部２４８を環状流路部１１２に開口させる。
【００８６】
また、このそうめん流し機１００は、環状流路部１１２の内側に配置するポンプカバー部１５０にモータ２０１やポンプ及び排出管２４０を内蔵しており、排出管２４０がポンプケーシング２１０の中心と吐出連結部２１８とを結ぶ方向と交わる方向に水を吐出する排出口部２４８を有し、且つ、吐出連結部２１８に固定するに際して１８０度異なる状態で固定可能としている。
【００８７】
このため、排出口部２４８から排出する水の方向をポンプ中心と吐出連結部２１８とを結ぶ軸線方向に対して変更し、環状流路部１１２に吐出する際の方向を変更して環状流路部１１２を流れる水流の向きを逆転させ、右手でも左手でも水流に流した麺を容易に掬えるように水を流すことができる。
【００８８】
そして、環状流路部１１２が、半円形状とされた２個の円弧状部分と、この２個の円弧状部分を結ぶ平行な２箇所の直線状部分とを有する楕円形環状の流路部とされ、ポンプの回転中心が環状流路部１１２の中心位置に配置されている。
【００８９】
このように、２個の吐出連結部２１８を備えたポンプケーシング２１０と、このポンプケーシング２１０に固定する２個の排出管２４０を内蔵するそうめん流し機１００は、環状流路部１１２にポンプからの水を噴出させる排出口部２４８を２箇所とし、環状流路部１１２に流れる水を各排出口部２４８から噴出流により半周させれば足りることとなり、そうめんや水の流れを確実とすることができる。
【００９０】
また、ポンプケーシング２１０をポンプカバー部１５０に着脱可能とすることにより、ポンプカバー部１５０に取り付けたポンプの羽根周辺部分の清掃を容易に行って流水部分を清潔に保つことを容易に可能とすることができる。
【００９１】
そして、排出管２４０は、ポンプケーシング２１０に着脱可能とされるものとしているため、排出管２４０をポンプケーシング２１０から取り外して水流部分の清掃を一層容易とし、そうめん流し機１００を清潔に保つことを容易とすることができる。
【００９２】
また、環状流路部１１２を直線部と円弧部とを有する楕円形状とすることにより、そうめん流し機１００の奥行と幅とに差を設けて卓上等に載置することを容易とすることができる。
【００９３】
そして、ポンプの回転中心を環状流路部１１２の中心と一致させたそうめん流し機１００は、環状流路部１１２の水流を逆転させるに際しての排出口部２４８の変更位置を環状流路部１１２の中心を中心とする対称の位置に形成し、環状流路部１１２の水流を逆転させるに際し、排出管２４０をポンプケーシング２１０に取り付けるに際しての取り付け変更を容易とすることができる。
【産業上の利用可能性】
【００９４】
本発明に係るそうめん流し機１００は、家庭でそうめん流しの雰囲気を楽しみながら麺を食することができ、右手で箸を持つ人でも、左手で箸を持つ人でも、水流皿１１０に流した麺を容易に箸で掬って楽しく食事をすることができるようにする。
【符号の説明】
【００９５】
１００  そうめん流し機
１１０  水流皿                  １１１  流路底部
１１２  環状流路部              １１５  外周壁内側面
１１７  外周壁外側面            １２１  中央底部
１２３  窪み部                  １２５  カバー受け部
１２７  カバー係合部
１３０  上カバー
１３１  上面板                  １３３  スイッチ穴
１３５  薬味受け部              １４１  周縁カバー部
１４２  円弧部                  １４３  直線部
１５０  ポンプカバー部
１５１  天板                    １５３  電池ボックスカバー
１５５  モータ固定部            １５７  スイッチ収納筒
１５８  スイッチボタン          １６１  周壁部
１６２  円弧部                  １６３  直線部
１６５  上カバー取付け部        １６６  段差部
１６７  給水用スリット          １６８  切欠き部
１７１  閉鎖板
１８１  モータ収納部            １８２  底板
１８３  側板                    １８５  スイッチ収納部
１８６  底板                    １８７  側板
１９１  電池収納部              １９２  底板
１９５  ポンプ取付け穴          １９６  拡大部
１９７  係止部
２０１  モータ                  ２０５  シャフト
２０６  プレート                ２０７  羽根
２１０  ポンプケーシング
２１１  上部ケーシング          ２１２  上面板
２１３  透孔                    ２１５  固定筒
２１６  係合鍔                  ２１７  上部側壁
２１８  吐出連結部              ２１９  上部吐出連結部
２２１  下部ケーシング          ２２２  下面板
２２５  給水穴                  ２２７  下部側壁
２２９  下部吐出連結部          ２３１  ポンプ室隔壁
２３２  開口部                  ２３５  吐出流路隔壁
２３６  吐出流路
２４０  排出管
２４１  上部部材                ２４２  上面部
２４３  上部側面部              ２４５  連結口部
２４６  上部連結口部            ２４７  上部排出部
２４８  排出口部                ２４９  上部排出口係合部
２５１  下部部材                ２５２  下面部
２５３  下部側面部              ２５６  下部連結口部
２５７  下部排出部              ２５８  排出係合部
２５９  下部排出口係合部
【図１】
2019041828.tif 000003
【図２】
2019041828.tif 000004
【図３】
2019041828.tif 000005
【図４】
2019041828.tif 000006
【図５】
2019041828.tif 000007
【図６】
2019041828.tif 000008
【図７】
2019041828.tif 000009
【図８】
2019041828.tif 000010
【図９】
2019041828.tif 000011
【図１０】
2019041828.tif 000012